(57)【要約】【課題】どのグループにも属さない未所属トラックを容易にグループ再生できるようにする。【解決手段】システムコントローラ９は、未所属トラックをまとめてグループ化する。システムコントローラ９は、グループ化した未所属トラックのトラック番号をメモリ１３に記憶する。未所属トラックのデータのグループ再生が指定されると、システムコントローラ９は、メモリ１３に記憶したトラック番号に従って、未所属トラックのデータをサーチして再生する。【選択図】　図１
2004022108.tif 000002
【特許請求の範囲】
【請求項１】
記録媒体に記録されているトラックデータを再生する再生装置において、
グループ化したトラックのトラック番号を含むグループ情報を前記記録媒体から取得して各トラックがグループに属しているトラックかいずれのグループにも属さないトラックかを判別する判別手段と、
前記判別手段がいずれのグループにも属さないと判別した未所属トラックのデータを、連続したトラックに移し替えるデータ移し替え手段と、
前記データ移し替え手段がデータを移し替えたトラックをグループ化してそのトラック番号を前記グループ情報に付加するグループ情報付加手段と、
再生対象として指定されたグループのトラックのデータを、前記グループ情報に従って取得し、再生する再生手段と、を備えた、
ことを特徴とする再生装置。
【請求項２】
前記判別手段が判別した未所属トラックのトラック番号を記憶する記憶手段を備え、
前記データ移し替え手段は、データの移し替えに伴って前記記憶手段に記憶されたトラック番号を書き替え、
前記グループ情報付加手段は、前記記憶手段に記憶された書き替え後のトラック番号を前記グループ情報に付加する、
ように構成されたことを特徴とする請求項１に記載の再生装置。
【請求項３】
グループ化したトラックのトラック番号を含むグループ情報を記録媒体から取得して各トラックがグループに属しているトラックかいずれのグループにも属さないトラックかを判別するステップと、
いずれのグループにも属さないと判別された未所属トラックのデータを、連続したトラックに移し替えるステップと、
前記移し替えた未所属トラックをグループ化して前記未所属トラックのトラック番号を前記グループ情報に付加するステップと、
再生対象として指定されたグループのトラックのデータを、前記グループ情報に従って取得し、再生するステップと、を備えた、
ことを特徴とする再生方法。
【請求項４】
コンピュータに、
グループ化したトラックのトラック番号を含むグループ情報を記録媒体から取得して各トラックがグループに属しているトラックかいずれのグループにも属さないトラックかを判別する手順、
いずれのグループにも属さないと判別された未所属トラックのデータを、連続したトラックに移し替える手順、
前記移し替えた未所属トラックをグループ化して前記未所属トラックのトラック番号を前記グループ情報に付加する手順、
再生対象として指定されたグループのトラックのデータを、前記グループ情報に従って取得し、再生する手順、
を実行させるためのプログラム。
【発明の詳細な説明】
【０００１】
【発明の属する技術分野】
本発明は、再生装置、再生方法及びプログラムに関する。
【０００２】
【従来の技術】
光ディスクのような記録媒体に記録されたトラックデータを再生する再生装置には、グループ化されてひとまとめになったトラックを、グループ（又はフォルダ）単位でサーチし、再生できるようにしたグループ化機能を有するものがある。このようなグループ化機能を実行するためには、まず、光ディスクにグループ情報として、グループ化するトラック番号とグループ名とを記録しておく。再生装置は、このグループ情報を光ディスクから読み取り、指定されたグループに属していると判別されたトラックのデータを光ディスクから取り出して再生する。
【０００３】
【発明が解決しようとする課題】
しかし、トラックには、どのグループにも属さない未所属トラックというものも存在し、この未所属トラックをグループ再生したい場合もある。未所属トラックに関する情報は光ディスクに記録されないため、このままでは、未所属トラックをグループ再生することは出来ない。従って、このグループ化機能を利用して未所属トラックをグループ再生するには、グループ情報を表示して判別された未所属トラックのデータを、トラックムーブ機能を用いて移動し、未所属トラックをグループ化する必要があり、作業が煩雑となる。
【０００４】
本発明は、このような従来の問題点に鑑みてなされたもので、グループに属さない未所属トラックを容易にグループ再生することを可能とする再生装置、再生方法及びプログラムを提供することを目的とする。
【０００５】
【課題を解決するための手段】
この目的を達成するため、本発明の第１の観点に係る再生装置は、
記録媒体に記録されているトラックデータを再生する再生装置において、
グループ化したトラックのトラック番号を含むグループ情報を前記記録媒体から取得して各トラックがグループに属しているトラックかいずれのグループにも属さないトラックかを判別する判別手段と、
前記判別手段がいずれのグループにも属さないと判別した未所属トラックのデータを、連続したトラックに移し替えるデータ移し替え手段と、
前記データ移し替え手段がデータを移し替えたトラックをグループ化してそのトラック番号を前記グループ情報に付加するグループ情報付加手段と、
再生対象として指定されたグループのトラックのデータを、前記グループ情報に従って取得し、再生する再生手段と、を備えたものである。
【０００６】
前記再生装置は、前記判別手段が判別した未所属トラックのトラック番号を記憶する記憶手段を備え、
前記データ移し替え手段は、データの移し替えに伴って前記記憶手段に記憶されたトラック番号を書き替え、
前記グループ情報付加手段は、前記記憶手段に記憶された書き替え後のトラック番号を前記グループ情報に付加する、ようにしてもよい。
【０００７】
本発明の第２の観点に係る再生方法は、
グループ化したトラックのトラック番号を含むグループ情報を記録媒体から取得して各トラックがグループに属しているトラックかいずれのグループにも属さないトラックかを判別するステップと、
いずれのグループにも属さないと判別された未所属トラックのデータを、連続したトラックに移し替えるステップと、
前記移し替えた未所属トラックをグループ化して前記未所属トラックのトラック番号を前記グループ情報に付加するステップと、
再生対象として指定されたグループのトラックのデータを、前記グループ情報に従って取得し、再生するステップと、を備えたものである。
【０００８】
本発明の第３の観点に係るプログラムは、
コンピュータに、
グループ化したトラックのトラック番号を含むグループ情報を記録媒体から取得して各トラックがグループに属しているトラックかいずれのグループにも属さないトラックかを判別する手順、
いずれのグループにも属さないと判別された未所属トラックのデータを、連続したトラックに移し替える手順、
前記移し替えた未所属トラックをグループ化して前記未所属トラックのトラック番号を前記グループ情報に付加する手順、
再生対象として指定されたグループのトラックのデータを、前記グループ情報に従って取得し、再生する手順、
を実行させるためのものである。
【０００９】
【発明の実施の形態】
以下、本発明の実施の形態に係る再生装置を図面を参照して説明する。
この再生装置は、光ディスク１に記録されたデータを再生するものであり、図１に示すように、スピンドルモータ２と、光ピックアップ３と、送りモータ４と、記録ヘッド５と、ヘッドドライバ６と、ＲＦ（Ｒａｄｉｏ　Ｆｒｅｑｕｅｎｃｙ）アンプ７と、ディジタル信号処理回路８と、システムコントローラ９と、操作部１０と、表示部１１と、ＴＯＣ（Ｔａｂｌｅ　Ｏｆ　Ｃｏｎｔｅｎｔｓ）メモリ１２と、メモリ１３と、から構成される。
【００１０】
光ディスク１は、ＭＤ（Ｍｉｎｉ　Ｄｉｓｃ（登録商標））といった、記録データの書き換えが可能なものであり、楽曲のようなトラックデータが記録される。
【００１１】
スピンドルモータ２は、ディジタル信号処理回路８に制御されて、ターンテーブルやクランプ機構にて保持する光ディスク１を、所定の回転速度で回転駆動する。
【００１２】
光ピックアップ３は、光ディスク１にレーザ光を照射してトラックデータの記録データの記録／再生を可能とするためのものである。より詳細には、光ピックアップ３は、データを光ディスク１に記録する際、光ディスク１の記録トラックをキュリー温度まで加熱する高レベルのレーザ光を出力する。また、光ピックアップ３は、記録データを光ディスク１から再生する際、磁気カー効果を利用して受けた反射光によりデータ信号を検出可能とする低レベルのレーザ光を出力する。光ピックアップ３は、検出したデータ信号をＲＦアンプ７に送る。
【００１３】
送りモータ４は、ディジタル信号処理回路８の制御により、光ディスク１の半径方向に、光ピックアップ３を移動させるためのものである。
【００１４】
記録ヘッド５は、データを書き込むためのものであり、光ディスク１を挟んで光ピックアップ３と対向する位置に配置され、ヘッドドライバ６から受けた駆動信号に応じた磁界を生成し、光ディスク１に印加する。
【００１５】
ヘッドドライバ６は、ディジタル信号処理回路８によりエンコード処理が施されたデータを受け、記録ヘッド５を駆動するための駆動信号を生成するためのものであり、生成した駆動信号を記録ヘッド５に供給する。
【００１６】
ＲＦアンプ７は、光ピックアップ３が検出した信号に基づいた演算処理等を実行することにより、データ信号である再生ＲＦ信号、トラッキングエラー（ＴＥ）信号、フォーカスエラー（ＦＥ）信号、及び光ディスク１にプリグルーブとして記録されている絶対位置（ＡＤＩＰ；ＡＤｄｒｅｓｓ　Ｉｎ　Ｐｒｅｇｒｏｏｖｅ）情報といったグルーブ情報等を抽出するものである。ＲＦアンプ７は、抽出した各種の信号、情報をディジタル信号処理回路８に送る。
【００１７】
ディジタル信号処理回路８は、ＲＦアンプ７が抽出した信号に基づいて送りモータ４を制御する。そして、ディジタル信号処理回路８は、ＡＤＣ（Ａｎａｌｏｇ−ｔｏ−Ｄｉｇｉｔａｌ　Ｃｏｎｖｅｒｔｅｒ）からトラックデータを入力してエンコード処理を施し、生成したデータをヘッドドライバ６に供給したり、ＲＦアンプ７から供給された信号を処理してトラックデータを再生し、再生したトラックデータをＤＡＣ（Ｄｉｇｉｔａｌ−ｔｏ−Ａｎａｌｏｇ　Ｃｏｎｖｅｒｔｅｒ）等に出力したりする。
【００１８】
システムコントローラ９は、マイクロプロセッサ等から構成され、ディジタル信号処理回路８、操作部１０、表示部１１等を制御する。
【００１９】
操作部１０は、プッシュスイッチ、キーパッド等から構成され、ユーザの操作によって指示されたユーザデータの記録／再生の開始や停止等の指示情報をシステムコントローラ９に送る。
【００２０】
表示部１１は、ＬＣＤ（Ｌｉｑｕｉｄ　Ｃｒｙｓｔａｌ　Ｄｉｓｐｌａｙ）パネル等から構成され、システムコントローラ９の制御により、再生時間、トラック番号、録音モード、レベル等の情報を表示する。
【００２１】
ＴＯＣメモリ１２とメモリ１３とは、ＲＡＭ（Ｒａｎｄｏｍ　Ａｃｃｅｓｓ　Ｍｅｍｏｒｙ）のような半導体等で構成されている。ＴＯＣメモリ１２は、光ディスク１のＵ−ＴＯＣ（Ｕｓｅｒ’ｓ　Ｔａｂｌｅ　Ｏｆ　Ｃｏｎｔｅｎｔｓ）領域から読み出したトラック番号等のデータを記憶する。メモリ１３は、システムコントローラ９が、制御に必要なデータを記憶するためのものである。
【００２２】
次に、光ディスク１におけるデータの記録構成について説明する。
光ディスク１は、例えば３６セクタを１記録再生動作単位（クラスタ）としてユーザデータの記録／再生が可能な記録媒体であり、光ディスク１の記録エリアは、図２に示すように、リードインエリアと、Ｕ−ＴＯＣ領域と、プログラムエリアと、リードアウトエリアと、からなる。
【００２３】
リードインエリアは、データの読み出しを開始する領域である。
Ｕ−ＴＯＣ領域は、プログラムエリアに記録されたトラックデータを管理するための情報を記録する領域である。尚、Ｕ−ＴＯＣ領域に書き込まれる情報は、書き換え可能である。
プログラムエリアは、トラックデータを記録する領域であり、ＭＤでは、最大トラック数は２５５である。
リードアウトエリアは、データの読み出しを終了させるための領域である。
【００２４】
本実施の形態に係る再生装置は、光ディスク上においてグループ化されたトラックを、グループ単位でサーチし、再生できる。このようなグループ化機能を実現するため、光ディスク１のＵ−ＴＯＣ領域には、グループ情報がディスクタイトルに続けて記録される。そして、システムコントローラ９は、グループ再生を行う場合に、光ディスク１に記録されているグループ情報を解析する。
【００２５】
図３（ａ）に、そのグループ情報の一例を示す。このグループ情報は、図３（ｂ）に示すように、記録トラック数が３０（曲）であり、トラックを識別するためのトラック番号として、記録トラック００１〜００５，００７〜０１８，０２３〜０２８が、それぞれ、Ｇｒｏｕｐ＿０１，Ｇｒｏｕｐ＿０２，Ｇｒｏｕｐ＿０３に属していることを示す。
【００２６】
このように、グループ化は、連続したトラック間で行われる。これは、グループ化機能に対応していない再生装置であっても、トラックデータを再生できるようにするためである。従って、記録トラック００６，０１９〜０２２，０２９〜０３０は、どのグループにも属さない未所属トラックになり、未登録トラックは必ずしも連続するとは限らない。例えば、未所属トラック００６は、Ｇｒｏｕｐ＿０１に属するトラック（トラック番号００５のトラック）とＧｒｏｕｐ＿０２に属するトラック（トラック番号００７のトラック）とに挟まれ、未所属トラックとして、トラック００６の次はトラック０１９になる。
【００２７】
システムコントローラ９は、未所属トラックをグループ化して再生する場合、光ディスク１における未登録トラックが連続したトラックとなるように、トラックデータの移し替えを行う。このため、メモリ１３には、未登録トラックのトラック番号を記憶する記憶領域が設けられる。また、システムコントローラ９は、データの移し替えを行うためのカウンタとして、トラックカウンタと、メモリカウンタと、ムーブカウンタと、を有する。
【００２８】
トラックカウンタは、光ディスク１におけるトラックの位置を指定するためのカウンタである。メモリカウンタは、メモリ１３において、未所属トラックのトラック番号を記憶する記憶位置を指定するためのカウンタである。ムーブカウンタは、未登録トラックのトラック番号をメモリ１３に記憶した後、その記憶位置を指し示すためのカウンタである。メモリ１３には、これらのカウント値を記憶するための記憶領域も設けられる。
【００２９】
次に本実施の形態に係る再生装置の動作を説明する。
ターンテーブル等に光ディスク１が搭載されると、スピンドルモータ２は、光ディスク１を回転させる。光ディスク１が回転すると、システムコントローラ９は、ディジタル信号処理回路８にＵ−ＴＯＣ領域の情報の読み出しを指示し、光ディスク１のＵ−ＴＯＣ領域から情報を読み出してＴＯＣメモリ１２に記憶する。そして、システムコントローラ９は、ＴＯＣメモリ１２に記憶されたＵ−ＴＯＣ情報に基づいてユーザエリアの記録データの構成を特定する。
【００３０】
こののち、操作部１０から再生を開始する旨の指示が入力されると、システムコントローラ９は、Ｕ−ＴＯＣ情報に基づいて特定された記録データの構成に従ってディジタル信号処理回路８の動作を制御し、光ディスク１に記録された記録データの再生を開始する。
【００３１】
システムコントローラ９は、ディジタル信号処理回路８を介して、スピンドルモータ２を駆動して光ディスク１を回転させ、送りモータ４により、光ピックアップ３を記録データの読出位置まで移動させる。光ピックアップ３は、レーザ光を光ディスク１に照射して戻り光を検出し、電気信号に変換してＲＦアンプ７に送る。
【００３２】
ＲＦアンプ７は、光ピックアップ３から受けた信号に基づいた演算処理等を実行し、データ信号である再生ＲＦ信号、トラッキングエラー信号、フォーカスエラー信号等を抽出する。ＲＦアンプ７は、抽出した各種の信号をディジタル信号処理回路８に送る。
【００３３】
ディジタル信号処理回路８は、ＲＦアンプ７から受けた信号をデコードするなどの所定の処理を実行し、再生したトラックデータを適宜ＤＡＣ等に出力する。
【００３４】
操作部１０のプッシュスイッチ等を操作することによりグループ再生が選択されると、これに応答して、システムコントローラ９は、光ディスク１に記録されているグループ情報を読み出し、このグループ情報に基づいてグループ再生を実行する。未所属トラックをグループ化して再生するモードが指定されると、システムコントローラ９は、未所属トラックをグループ化してから、未所属トラックをグループ再生する。
【００３５】
この未所属トラックをグループ化する編集処理の内容を、図４と図５とに示すフローチャートに基づいて説明する。まず、システムコントローラ９は、トラックカウンタのカウント値ｍに１をセットする（ステップＳ１１）。
システムコントローラ９は、メモリカウンタのカウント値ｎに０をセットする（ステップＳ１２）。
【００３６】
システムコントローラ９は、トラックカウンタで指定されたトラックがグループに属しているか否かを判定する（ステップＳ１３）。
トラックカウンタで指定されたトラックがグループに属していると判定した場合（ステップＳ１３においてＹｅｓ）、システムコントローラ９は、ステップＳ１６の処理に進む。
【００３７】
トラックカウンタで指定されたトラックがグループに属していないと判定した場合（ステップＳ１３においてＮｏ）、システムコントローラ９は、メモリカウンタのカウント値ｎを１つインクリメントする（ステップＳ１４）。
【００３８】
システムコントローラ９は、メモリ１３のトラック番号用の記憶領域の最初の記憶位置からｎバイト目に、未所属トラックのトラック番号としてトラックカウンタのカウント値ｍを記憶する（ステップＳ１５）。
【００３９】
システムコントローラ９は、トラックカウンタのカウント値ｍが、光ディスク１の最大トラック数２５５未満であるか否かを判定する（ステップＳ１６）。
【００４０】
システムコントローラ９は、トラックカウンタのカウント値ｍが、光ディスク１の最大トラック数２５５以上であると判定した場合（ステップＳ１６においてＮｏ）、システムコントローラ９は、ステップＳ１９の処理に進む。
【００４１】
トラックカウンタのカウント値ｍが２５５未満と判定した場合（ステップＳ１６においてＹｅｓ）、システムコントローラ９は、トラックカウンタのカウント値ｍが、データが記録されている最大トラック番号Ｔｎｏ＿ｍａｘ未満か否かを判定する（ステップＳ１７）。
【００４２】
トラックカウンタのカウント値ｍが最大トラック番号Ｔｎｏ＿ｍａｘ未満と判定した場合、システムコントローラ９は、メモリカウンタのカウント値ｍを１つインクリメントする（ステップＳ１８）。そして、システムコントローラ９は、ステップＳ１３〜Ｓ１６の処理を、再度、実行する。
【００４３】
トラックカウンタのカウント値ｍが最大トラック番号Ｔｎｏ＿ｍａｘになったと判定した場合（ステップＳ１７においてＮｏ）、システムコントローラ９は、メモリカウンタのカウント値ｎが０よりも大きいか否かを判定する（ステップＳ１９）。
【００４４】
メモリカウンタのカウント値ｎが０以下であると判定した場合（ステップＳ１９においてＮｏ）、未所属トラックはカウントされていないことになり、光ディスクにおけるすべてのトラックがいずれかのグループに属していることになるので、システムコントローラ９は、この処理の実行を終了させる。
【００４５】
メモリカウンタのカウント値ｎが０よりも大きいと判定した場合（ステップＳ１９においてＹｅｓ）、未所属トラックがカウントされたことになる。この場合、システムコントローラ９は、トラックデータの移し替えを行うべく、ムーブ（Ｍｏｖｅ）カウンタのカウント値ｐに１をセットする（ステップＳ２０）。
【００４６】
システムコントローラ９は、ムーブカウンタのカウント値に基づいて指定されたトラック番号のデータを現在のトラックから最終トラック番号Ｔｎｏ＿ｍａｘの次のトラックに移し替える（ステップＳ２１）。システムコントローラ９は、メモリ１３に記憶したトラック番号を、移し替えたトラックデータに対応して書き替える（ステップＳ２２）。
【００４７】
システムコントローラ９は、未所属トラックのデータを移し替えたことによって空いたトラックに、次のトラックのデータを順次、移し替える（ステップＳ２３）。
【００４８】
システムコントローラ９は、データを移し替えた後のトラックに対応するように、メモリ１３に記憶したトラック番号をデクリメントする（ステップＳ２４）。
【００４９】
システムコントローラ９は、ムーブカウンタのカウント値ｐとメモリカウンタのカウント値ｎとを比較し、ムーブカウンタのカウント値ｐがメモリカウンタのカウント値ｎよりも小さいか否かを判定する（ステップＳ２５）。
【００５０】
ムーブカウンタのカウント値ｐがメモリカウンタのカウント値ｎよりも小さいと判定した場合（ステップＳ２５においてＹｅｓ）、システムコントローラ９は、ムーブカウンタのカウント値ｐを１つインクリメントする（ステップＳ２６）。
システムコントローラ９は、ステップＳ２１〜Ｓ２４の処理を実行する。
【００５１】
トラックデータの移し替えによって、ムーブカウンタのカウント値ｐがメモリカウンタのカウント値ｎ以上になったと判定した場合（ステップＳ２５においてＮｏ）、システムコントローラ９は、未所属トラックのグループにグループ名を付与して新規グループとして登録する（ステップＳ２７）。
【００５２】
システムコントローラ９は、ＴＯＣメモリ１２に記憶したＴＯＣ情報を、データの移し替えに伴って書き替える（ステップＳ２８）。そして、システムコントローラ９は、この処理の実行を終了させる。
【００５３】
次に、光ディスク１には、図３（ａ）に示すグループ情報が記録されているものとして、未所属トラックのこのグループ処理の内容を、さらに具体的に説明する。
【００５４】
システムコントローラ９は、このグループ情報を読み出す。
光ディスク１に図３（ａ）に示すグループ情報が記録されている場合、トラックのデータは、光ディスク１に、図６（ａ）に示すように記録されている。
【００５５】
システムコントローラ９は、グループ情報に基づいてトラック番号００１〜０３０のトラックが、グループに所属するトラックであるか未所属トラックであるかを判定する（ステップＳ１３の処理）。この判定を行った結果、メモリ１３には、図６（ｂ）に示すような未所属トラックのトラック番号が記憶される（ステップＳ１４〜Ｓ１５の処理）。この場合、メモリカウンタのカウント値ｎは７となる。
【００５６】
システムコントローラ９は、まず、トラック番号００６のデータを、図６（ｃ）に示すように、トラック番号０３０の次のトラックに移動する（ステップＳ２１の処理）。
システムコントローラ９は、図６（ｂ）と図６（ｄ）とに示すように、トラック番号００６をトラック番号０３１に書き替える（ステップＳ２２の処理）。
【００５７】
トラック番号を書き替えると、システムコントローラ９は、図６（ｃ）と図６（ｅ）とに示すように、光ディスク１に記録されているトラック番号００７〜０３０のトラックデータを、トラック番号００６〜０２９のトラックに、順次、移し替える（ステップＳ２３の処理）。
【００５８】
データを移し替えると、システムコントローラ９は、移し替えたトラックに対応するように、図６（ｄ）に示すメモリ１３に記憶した７個のトラック番号をすべてデクリメントする（ステップＳ２４の処理）。メモリ１３に記憶したトラック番号は、図６（ｆ）に示すように書き替えられる。
このようにして、システムコントローラ９は、順次、未所属トラックのデータを移し替え、トラック番号を書き替える。
【００５９】
そして、すべてのトラックデータの移し替えが終わると、図６（ｇ）に示すように、光ディスク１には、未所属トラックのデータが連続したトラックに記録され、メモリ１３には、図６（ｈ）に示すように、トラック番号が、このトラックのデータに対応するように記録される。
【００６０】
システムコントローラ９は、この未所属トラックのグループに、例えば、「Ａｎｏｔｈｅｒ」といったグループ名を付与しておく（ステップＳ２７の処理）。また、図７に示すように、グループ情報に、この未所属トラックの識別情報としてトラック番号とグループ名「Ａｎｏｔｈｅｒ」を付加する。このように、光ディスク１に記録しておくことにより、次の再生時に、図４乃至図５のフローチャートに示す処理を実行しなくても、未所属トラックのグループ再生を行うことができる。
【００６１】
また、システムコントローラ９は、ＴＯＣメモリ１２に記憶したＴＯＣ情報としてのトラック番号を、図６（ｇ）に示す順序に従って書き替える（ステップＳ２８の処理）。
【００６２】
このグループ名「Ａｎｏｔｈｅｒ」を指定して再生指示が行われると、システムコントローラ９は、グループ名「Ａｎｏｔｈｅｒ」に属する未所属トラックをサーチして、再生する。
【００６３】
以上説明したように、本実施の形態によれば、未所属トラックのデータを、トラック番号が連番となるように移し替え、未所属トラックのトラック番号を、移し替えたトラックデータに対応するようにメモリ１３に記憶するようにした。従って、このグループ情報に従って、未所属トラックのデータを容易にグループ再生することができる。
【００６４】
尚、本発明を実施するにあたっては、種々の形態が考えられ、上記実施の形態に限られるものではない。
例えば、上記実施の形態では、記録媒体は、ＭＤに限られるものではなく、ＤＶＤ（Ｄｉｇｉｔａｌ　Ｖｅｒｓａｔｉｌｅ　Ｄｉｓｋ）、ＭＯ（Ｍａｇｎｅｔｏ　Ｏｐｔｉｃａｌ　ｄｉｓｋ）であってもよい。
【００６５】
トラックデータの移し替えの方法は、必ずしも図４乃至図６に示すような方法に限定されるものではない。例えば、メモリ１３をグループ所属トラック用の記憶領域と未所属トラック用の記憶領域とに区分けし、トラックがグループ所属トラックか未所属トラックかを判別しつつ、判別結果に従って、グループ所属トラック、未所属トラックを、メモリ１３の区分けしたそれぞれの記憶領域に記憶させることもできる。
【００６６】
また、未所属トラックを連続したトラックにまとめるやり方も、本実施の形態のものに限定されるものではなく、トラックが未所属トラックと判別されると、そのトラックを次のトラックと交換し、このような処理を、最後まで行うことにより、未所属トラックを連続したトラックにまとめることもできる。
【００６７】
また、コンピュータを、再生装置の全部又は一部として動作させ、あるいは、上述の処理を実行させるためのプログラムを、フレキシブルディスク、ＣＤ−ＲＯＭ（Ｃｏｍｐａｃｔ　Ｄｉｓｋ　Ｒｅａｄ−Ｏｎｌｙ　Ｍｅｍｏｒｙ）、ＤＶＤ（Ｄｉｇｉｔａｌ　Ｖｅｒｓａｔｉｌｅ　Ｄｉｓｋ）などのコンピュータ読み取り可能な記録媒体に格納して配布し、これをコンピュータにインストールし、上述の手段として動作させ、あるいは、上述の工程を実行させてもよい。
【００６８】
【発明の効果】
以上説明したように、本発明によれば、グループに属さない未所属トラックを容易にグループ再生することができる。
【図面の簡単な説明】
【図１】本発明の第１の実施の形態に係る再生装置の構成を示すブロック図である。
【図２】図１の光ディスクに記録されるデータの構造を示す説明図である。
【図３】Ｕ−ＴＯＣ領域に記録されているグループ情報の一例を示す説明図である。
【図４】未所属トラックをグループ編集する処理の内容を示すフローチャート（１）である。
【図５】未所属トラックをグループ編集する処理の内容を示すフローチャート（２）である。
【図６】未所属トラックのグループ編集処理の具体例を示す説明図である。
【図７】未所属トラックとそのグループ名とを付加したグループ情報の一例を示す説明図である。
【符号の説明】
１　光ディスク
９　システムコントローラ
１２　ＴＯＣメモリ
１３　メモリ
【図１】
2004022108.tif 000003
【図２】
2004022108.tif 000004
【図３】
2004022108.tif 000005
【図４】
2004022108.tif 000006
【図５】
2004022108.tif 000007
【図６】
2004022108.tif 000008
【図７】
2004022108.tif 000009